(57)【特許請求の範囲】
【請求項１】
容器の口部に装着したディスペンサーの押圧ヘッドを上下動させることにより、容器内の内容液を外部に噴出するディスペンサー付き容器と、
ディスペンサー付き容器を上下に摺動可能に保持する保持部を有し、載置面に載置されるベース部材と、
下端部が前記ベース部材に保持され、上端部から前記押圧ヘッドに当接する押圧部を垂下するハウジング部材と、
踏み込み時に前記載置面または前記ベース部材に当接して停止するペダルを一端部に有し他端部が前記ディスペンサー付き容器の下方に位置するとともに、前記一端部と前記他端部との間にて前記ベース部材に揺動可能に軸支され、前記ペダルの踏み込みにより前記ディスペンサー付き容器を上方に変位させ、前記押圧部に前記押圧ヘッドを押し込ませて前記内容液を噴出させる作動部材と、を備え、
前記ディスペンサー付き容器を、前記ペダルの配置された側である第１方向側とは逆側の第２方向側に傾斜させてなることを特徴とする足踏み式液体噴出装置。
【請求項２】
前記容器の底部に、容器内側に向けて凸となる底上げ部であって、該底上げ部の頂部から前記第１方向側に向けて下り勾配となる第１の斜面と、前記頂部から前記第２方向側に向けて下り勾配となる第２の斜面とからなり、前記頂部を前記第１方向側に寄せて配置してなる底上げ部を設け、かつ、前記ディスペンサーの吸い上げパイプを前記第２方向側に湾曲させてなる、請求項１に記載の足踏み式液体噴出装置。
【請求項３】
前記保持部の傾斜方向と、前記吸い上げパイプが湾曲する方向とが一致した場合のみ前記ディスペンサー付き容器を前記保持部内に収納可能とする位置決め手段を設けてなる、請求項２に記載の足踏み式液体噴出装置。
【発明の詳細な説明】
【技術分野】
【０００１】
本発明は、足踏み式の液体噴出装置に関し、とくには、吐出機構として、ポンプ式のディスペンサーを用いた足踏み式液体噴出装置を提供しようとするものである。
【背景技術】
【０００２】
従来、足踏み式の液体噴出装置としては、特許文献１に記載されるようなエアゾール式の容器が主流である。しかしながら、エアゾール式の容器は、内部に可燃性の液化石油ガスやジメチルエーテル等の噴射剤が含まれる場合があり、容器内にガスが残ったまま廃棄した場合、ごみ集積車や廃棄物処理施設で火災・爆発事故の原因となるおそれがある。このような事故を防ぐために、エアゾール式の容器を廃棄する場合には、内部の残留ガスを排出してから廃棄する必要があり、廃棄作業が面倒である。また、エアゾール式の容器は、容器内に充填されたガスの圧力を利用して内容液を噴射するものであるので、噴射ボタンを押している間は内容液が出続けてしまい、噴射量のコントロールが困難であり、また、エアゾール式の容器では、内容液噴射の際に起こり得るステムの押し込み不足等に起因して適正な噴出が行われず、内溶液に対して噴射剤の量を多く噴出してしまうことがあり、こうなると充填されたガスの圧力が不足して容器内に内容液が残ったまま使用できなくなる（残量が増大する）という不具合を生じる。
【０００３】
このようなことから、吐出機構として、エアゾールに代えてポンプ式（蓄圧式）のディスペンサーを用いた足踏み式の液体噴出装置に対する要望がある。ポンプ式のディスペンサーによれば、エアゾール式の液体噴出装置のような加圧用の噴射剤を必要とせず、容器の廃棄処分に際して爆発等の危険がないため容器を穿孔する等の余計な手間がかからず、その上、ガスの圧力が不足して内容液を吐出できなくなるという不具合がないことから内容液が噴出されずに容器内に残る残量を減らすことができ、また、ポンプ式のディスペンサーは押圧ヘッドをワンプッシュして内容液を噴出できるため定量吐出が可能である。
【先行技術文献】
【特許文献】
【０００４】
【特許文献１】特開２００２−１４３７３３号公報
【発明の概要】
【発明が解決しようとする課題】
【０００５】
ところが、ポンプ式のディスペンサーは、通常、押圧ヘッドを指で押して使用するものであり、押圧ヘッドのストロークエンドでその押込みを止めることができるが、該ディスペンサーを足踏み式の液体噴出装置に用いた場合、使用者の体重がかかるため必要以上の押圧力がディスペンサーに加わり、ディスペンサーが破損するおそれがある。
【０００６】
それゆえ、本発明は、足踏み式の液体噴出装置の吐出機構としてポンプ式のディスペンサーを用いたものにつき、ディスペンサーの破損を回避することのできる足踏み式液体噴出装置を提供することをその目的とする。
【課題を解決するための手段】
【０００７】
本発明は上記課題を解決するためになされたものであり、本発明の足踏み式液体噴出装置は、容器の口部に装着したディスペンサーの押圧ヘッドを上下動させることにより、容器内の内容液を外部に噴出するディスペンサー付き容器と、ディスペンサー付き容器を上下に摺動可能に保持する保持部を有し、載置面に載置されるベース部材と、下端部が前記ベース部材に保持され、上端部から前記押圧ヘッドに当接する押圧部を垂下するハウジング部材と、踏み込み時に前記載置面または前記ベース部材に当接して停止するペダルを一端部に有し他端部が前記ディスペンサー付き容器の下方に位置するとともに、前記一端部と前記他端部との間にて前記ベース部材に揺動可能に軸支され、前記ペダルの踏み込みにより前記ディスペンサー付き容器を上方に変位させ、前記押圧部に前記押圧ヘッドを押し込ませて前記内容液を噴出させる作動部材と、を備え、前記ディスペンサー付き容器を、前記ペダルの配置された側である第１方向側とは逆側の第２方向側に傾斜させてなるものである。
【０００９】
さらに、本発明の足踏み式液体噴出装置にあっては、前記容器の底部に、容器内側に向けて凸となる底上げ部であって、該底上げ部の頂部から前記第１方向側に向けて下り勾配となる第１の斜面と、前記頂部から前記第２方向側に向けて下り勾配となる第２の斜面とからなり、前記頂部を前記第１方向側に寄せて配置してなる底上げ部を設け、かつ、前記ディスペンサーの吸い上げパイプを前記第２方向側に湾曲させてなることが好ましい。
【００１０】
しかも、本発明の足踏み式液体噴出装置にあっては、前記保持部の傾斜方向と、前記吸い上げパイプが湾曲する方向とが一致した場合のみ前記ディスペンサー付き容器を前記保持部内に収納可能とする位置決め手段を設けてなることが好ましい。
【発明の効果】
【００１１】
本発明の足踏み式液体噴出装置にあっては、ディスペンサー付き容器をベース部材の保持部にセットし、ハウジング部材をベース部材に装着した状態から、使用者が、ベース部材に揺動可能に支持された、足で踏むことのできるペダルを踏み込むと、作動部材が揺動し、その作動部材の揺動と連動してディスペンサー付き容器が上方に押し上げられハウジング部材の押圧部によって押圧ヘッドが下方に押し込まれるので、容器内の内容液が加圧、圧縮されて押圧ヘッドの噴出口より噴出する。この際、ペダルは、その下降位置にて床等の載置面またはベース部材に当接して停止するので、押圧ヘッドに過剰な押圧力が加わることがなく、ディスペンサーの破損を回避することができる。
【図面の簡単な説明】
【００１２】
【図１】本発明にしたがう実施の形態の足踏み式液体噴出装置の断面図である。
【図２】図１の足踏み式液体噴出装置のディスペンサー付き容器を一部を断面で示した図である。
【図３】図１の足踏み式液体噴出装置のベース部材であり、（ａ）は平面図、（ｂ）は図３（ａ）中のＡ−Ａ線に沿う断面図である。
【図４】図１の足踏み式液体噴出装置のハウジング部材であり、（ａ）は平面図、（ｂ）は図４（ａ）中のＢ−Ｂ線に沿う断面図である。
【図５】図１の足踏み式液体噴出装置の作動部材であり、（ａ）は平面図、（ｂ）は図５（ａ）中のＣ−Ｃ線に沿う断面図である。
【図６】（ａ）は図１の足踏み式液体噴出装置の容器の下部を拡大して示す断面図であり、（ｂ）は容器の底部を示す底面図であり、（ｃ）は作動部材が取り付けられたベース部材の平面図である。
【図７】ペダルを踏み込んだ状態を示す足踏み式液体噴出装置の断面図である。
【発明を実施するための形態】
【００１３】
以下、図面を参照して本発明の実施の形態を詳細に説明する。
【００１４】
この実施形態の足踏み式液体噴出装置１は、床等の載置面Ｇの上に置かれ使用者が足で操作することで内容液を噴出するものであり、図１に示すように、ディスペンサー付き容器３と、ベース部材５と、ハウジング部材７と、一端部に使用者が足で踏むことができるペダル９を有する作動部材１１とを備えてなる。なお、以下、足踏み式液体噴出装置１において、ペダル９が設けられた側を「第１方向側」または「前方側」とし、この逆側を「第２方向側」または「後方側」というものとする。
【００１５】
ディスペンサー付き容器３は、図２に示すように、容器１３の口部１３ａに装着したディスペンサー１５の押圧ヘッド１７を上下動させることにより、容器１３内の内容液を外部に噴出するものである。容器１３は、上記口部１３ａの下端に肩部１３ｂを介してつながる胴部１３ｃと、この胴部１３ｃの下端を閉塞させる底部１３ｄとを有するものであり、ここでは胴部１３ｃの横断面形状は円形としているがこれに限定されず四角形または他の多角形としてもよい。
【００１６】
ディスペンサー１５は、図２に示すように、周壁１９ａおよび天面壁１９ｂからなり該周壁１９ａにて容器１３の口部１３ａ外側でねじ止めされるベースキャップ１９と、このベースキャップ１９の下面と上記口部１３ａの突端との間に保持される通常のポンプ機構２１と、ポンプ機構２１の下端につながる吸い込みパイプ２３と、上下動することにより該ポンプ機構２１を作動させて容器１３内の内容液を吸引、加圧、圧縮して外部へ噴出させる上述の押圧ヘッド１７とからなる。また、ベースキャップ１９の天面壁１９ｂには、内側に押圧ヘッド１７が摺動可能に挿入される内筒２５、およびこの内筒２５との間に後述するハウジング部材７のガイド壁が挿入される環状溝ｇを形成する外筒２７が設けられている。なお、図２中の符号１７ａは、押圧ヘッド１７に形成された、後述のハウジング部材７の、環状壁からなる押圧部の先端が当接する平坦な当接面である。
【００１７】
ベース部材５は、図３に示すように、ディスペンサー付き容器３を上下に摺動可能に保持する保持部２９を有し、載置面Ｇに載置されるものであって、この保持部２９は、ディスペンサー付き容器３をその底部１３ｄから支持する頂壁３１と、該頂壁３１の上面から起立してディスペンサー付き容器３の胴部１３ｃを摺動可能に保持する一対の弧状の側壁３３、３４とからなる。頂壁３１の外周縁から垂下する周壁３６は、後方側（図中左側）に向かうに連れて高さが小さくなっており、それにより、ベース部材５を載置面Ｇに載置すると頂壁３１は載置面Ｇに対して後方側に傾斜し、ディスペンサー付き容器３を後方側に傾いて保持することができる。また、周壁３６の前方側の下端には、ペダル９の両側方位置にてペダル９に沿って延出し、ベース部材５を安定化させる一対の平板体３８、３９が延設されている。図３中の符号ｈ１は、頂壁３１に形成された、作動部材１１の後端部を挿通させるための開口であり、とくにこの開口ｈ１において符号ｈ１ａ、ｈ１ｂで示す部分は、組み付け時に作動部材１１の後述する一対の軸部を通すための部分であり、また、符号４４、４５は、作動部材１１の一対の軸部を保持する一対の軸受であり、符号ｈ２は、周壁３６に下端から切り欠いて形成された、作動部材１１の一部を挿通させるための開口である。
【００１８】
ハウジング部材７は、図１および図４（ａ）、（ｂ）に示すように、ディスペンサー付き容器３の押圧ヘッド１７の上方で支持される天壁部４７と、該天壁部４７の周縁から垂下しディスペンサー付き容器３の周囲を取り囲みながら下方に延び、その下端がベース部材５の周壁３６の上部に外側からアンダーカット係合（嵌合）して保持される胴体部４９とを有する。天壁部４７には、押圧ヘッド１７の噴出口につながるノズル孔４７ａと、該ノズル孔４７ａの周りで垂下し下端が押圧ヘッド１７の当接面１７ａに当接する、環状壁からなる押圧部４７ｂと、この押圧部４７ｂの外側に位置し押圧ヘッド１７の環状溝ｇ（図２参照）内に挿入されて押圧ヘッド１７の押し込み動作を案内するガイド壁４７ｃとが形成されている。図４中、符号５０は、ノズル孔４７ａ内に組み込まれ、押圧ヘッド１７の噴出口より噴出された内容液を細霧化するノズルチップであり、このようなノズルチップ５０は押圧ヘッド１７の噴出口内に組み込んでもよい。また、この例では、ハウジング部材７は、アンダーカット係合によりベース部材５に固定すると説明したが、ハウジング部材７は、ベース部材５の周壁３６外側にねじ止めしてもよい。さらに、ハウジング部材７は、上記押圧部４７ｂを垂下するものであればその形状に限定はなく、例えば、材料削減等の目的で、胴体部４９に一以上の開口部を設けてもよい（図示省略）。
【００１９】
作動部材１１は、図１および図５（ａ）、（ｂ）に示すように、一端部に設けられた上記ペダル９と、このペダル９の後端から後方（図５中左方）に延びその後方端部（作動部材１１の他端部ともいう。）がディスペンサー付き容器３の下方に位置する板状の揺動体５１とからなり、揺動体５１には、ベース部材５の一対の軸受４４、４５（図３参照）に揺動可能に軸支される、突起からなる一対の軸部５３、５４が両側方部にそれぞれ形成されている。すなわち、作動部材１１は、ペダル９の踏み込みによりディスペンサー付き容器３を上方に変位させ（持ち上げ）、押圧部４７ｂに押圧ヘッド１７を押し込ませて内容液を噴出させるものである。この例では、このペダル９は中空の箱状に形成されており、踏み込み時にその下端が載置面Ｇに当接して停止する。なお、例えば、ベース部材５に、上記一対の平板体３８、３９（図３参照）間を一体に連結する連結板（図示省略）を設け、この連結板にペダル９の下端を当接させてペダル９をその下降位置にて停止させるよう構成してもよい。また、ペダル９の形状は箱状に限らず、単なるプレート状としてもよい。
【００２０】
また、本実施形態の足踏み式液体噴出装置１では、図６（ａ）、（ｂ）に示すように、容器１３の底部１３ｄに、容器内側に向けて凸となる底上げ部５６であって、該底上げ部５６の頂部Ｐから第１方向側（図中右側）に向けて下り勾配となる第１の斜面５６ａと、頂部Ｐから第２方向側（図中左側）に向けて下り勾配となる第２の斜面５６ｂとからなり、頂部Ｐを第１方向側に寄せて配置してなる底上げ部５６を設けている。頂部Ｐは、作動部材１１の揺動軸線に沿って延在する。よって、第２の斜面５６ｂの勾配方向に沿った距離（上記揺動軸線に直交する方向に沿った距離）は、第１の斜面５６ａの勾配方向に沿った距離よりも大である。また、本実施形態では、ディスペンサー１５の吸い上げパイプ２３を第２方向側に湾曲させている。
【００２１】
さらに、本実施形態の足踏み式液体噴出装置１では、図６（ａ）〜（ｃ）に示すように、ベース部材５の一対の側壁３３、３４の、第１方向側の端部間でなす隙間Ｓ１に挿入可能な第１凸部５８および該一対の側壁３３、３４の、第２方向側の端部間でなす隙間Ｓ２に挿入可能な第２凸部５９をそれぞれ、容器１３の胴部１３ｃ下端に設けるとともに、隙間Ｓ１、Ｓ２の幅に合致させて第１凸部５８の幅（胴部１３ｃの周方向に沿った長さ）を第２凸部５９の幅よりも大としている。これらの隙間Ｓ１、Ｓ２および第１、２凸部５８、５９は、保持部２９の傾斜方向（頂壁３１の傾斜方向）と、吸い上げパイプ２３が湾曲する方向とが一致した場合のみディスペンサー付き容器３を保持部２９内に収納可能とするものであって位置決め手段を構成する。
【００２２】
かかる実施形態の足踏み式液体噴出装置１にあっては、ディスペンサー付き容器３をベース部材５の保持部２９にセットし、ハウジング部材７をベース部材５に装着した状態（図１に示す状態）から、使用者が、ベース部材５に揺動可能に支持された、足で踏むことのできるペダル９を踏み込むと、図７に示すように、作動部材１１が揺動し、その作動部材１１の揺動と連動してディスペンサー付き容器３が上方に押し上げられハウジング部材７の押圧部４７ｂによって押圧ヘッド１７が下方に押し込まれるので、容器１３内の内容液が加圧、圧縮されて押圧ヘッド１７の噴出口、ひいてはハウジング部材７のノズル孔４７ａより霧状の形態で噴出する。この際、ペダル９は、その下降位置にて床等の載置面Ｇに当接して停止するので、押圧ヘッド１７に過剰な押圧力が加わることがなく、ディスペンサー１５の破損を回避することができる。
【００２３】
さらに、本実施形態の足踏み式液体噴出装置１によれば、ディスペンサー付き容器３が後方側に傾けられているため、使用者がペダル９を踏み込んだ際に、内容液を使用者から遠ざかる方向に噴出させることができ噴出した内容液が使用者に付着するのを防止することができる。
【００２４】
さらに、本実施形態では、図６に示したように、容器１３の底部１３ｄに、第１の斜面５６ａおよび第２の斜面５６ｂからなり、頂部Ｐを第１方向側に寄せて配置してなる底上げ部５６を設け、かつ、ディスペンサー１５の吸い上げパイプ２３を第２方向側に湾曲させたことから、ディスペンサー１５の吸い上げパイプ２３の下端を容器１３の後方側の隅部に配置することができるので該隅部に溜まった内容液をも吸い上げることができ、ディスペンサー１５で吸い上げることができずに容器１３内に残る内容液（以下、「残量」という。）を減らすことができる。また、このような頂部Ｐが第１方向側に寄って配置されてなる底上げ部５６を設けることで、ディスペンサー１５を容器１３に装着した際に吸い上げパイプ２３の下端が第２の斜面５６ｂを滑りながら後方側に湾曲するので、吸い込みパイプ２３の下端を確実に所定の位置にセットすることができ、その後は、ディスペンサー付き容器３を所定の向きでベース部材５に装着するだけで吸い上げパイプ２３の下端が容器１３の後方側の上記隅部に位置することとなるので、確実に残量の低減を図ることが可能である。
【００２５】
しかも、本実施形態では、図６（ｃ）に示したように、保持部２９の傾斜方向と、吸い上げパイプ２３が湾曲する方向とが一致した場合のみディスペンサー付き容器３を保持部２９内に収納可能とする構成を採用したことから、ディスペンサー付き容器３が間違った方向で保持部２９内にセットされるのを防止することができ、すなわち、ディスペンサー付き容器３を上記所定の向きでベース部材５に装着することができ、ひいては吸い込みパイプ２３の下端を容器１３の後方側の隅部に位置させることができるので、確実に残量の低減を図ることが可能である。
【００２６】
以上、図示例に基づき説明したが、本発明は上述の実施形態に限定されるものでなく、特許請求の範囲の記載範囲内で適宜変更することができる。例えば、上記実施形態では、位置決め手段を隙間Ｓ１、Ｓ２及び凸部５８、５９で構成すると説明したが、位置決め手段は、ディスペンサー付き容器の、保持部内への装着方向が特定できればよいので、容器１３の底部１３ｄに凸部または凹部を設けるとともに、ベース部材５の頂壁３１の上面に容器１３の凸部または凹部に合致する形状の凹部または凸部を設けることで位置決め手段を構成してもよい。
【産業上の利用可能性】
【００２７】
本発明により、足踏み式の液体噴出装置の吐出機構としてポンプ式のディスペンサーを用いたものにつき、ディスペンサーの破損を回避することのできる足踏み式液体噴出装置を提供することが可能となった。
【符号の説明】
【００２８】
１  足踏み式液体噴出装置
３  ディスペンサー付き容器
５  ベース部材
７  ハウジング部材
９  ペダル
１１  作動部材
１３  容器
１７  押圧ヘッド
２３  吸い上げパイプ
２９  保持部
４７ｂ  押圧部
５６  底上げ部
５６ａ  第１の斜面
５６ｂ  第２の斜面
Ｇ  載置面
【図１】
0005631798.tif 000002
【図２】
0005631798.tif 000003
【図３】
0005631798.tif 000004
【図４】
0005631798.tif 000005
【図５】
0005631798.tif 000006
【図６】
0005631798.tif 000007
【図７】
0005631798.tif 000008